(57)【要約】【課題】前端にスリットを有する先細板状のペン先を備えた筆記具に関し、この種の筆記具の使用経験がない者でも、容易に適正なペン先の向きを識別でき、適正な筆記を可能にする。【解決手段】軸筒３の前端に先細板状のペン先２を設ける。ペン先２の前端に、軸方向に延びるスリット２１を備える。軸筒３の外面に、ペン先向き識別部６を設ける。ペン先向き識別部６は、ペン先２表面を正面視したときのスリット２１の延長線Ｐの上に位置する。ペン先向き識別部６は、軸筒３のペン先２側にキャップ７を装着した状態において、キャップ７の後端よりも後方の軸筒３外面に位置される。ペン先向き識別部６が、ペン先方向を表す指示部６１からなる。ペン先向き識別部６が、文字または図形よりなるマーク６２からなる。【選択図】  図１
2006231762.tif 000002
【特許請求の範囲】
【請求項１】
軸筒の前端に先細板状のペン先を設け、前記ペン先の前端に軸方向に延びるスリットを備えた筆記具であって、軸筒の外面にペン先向き識別部を設け、前記ペン先向き識別部がペン先表面を正面視したときのスリットの延長線の上に位置してなることを特徴とする筆記具。
【請求項２】
軸筒のペン先側にキャップを装着した状態において、前記キャップの後端よりも後方の軸筒外面に、前記ペン先向き識別部が位置してなる請求項１記載の筆記具。
【請求項３】
前記ペン先向き識別部が、ペン先方向を表す指示部からなる請求項１または２記載の筆記具。
【請求項４】
前記ペン先向き識別部が、文字または図形よりなるマークからなる請求項１または２記載の筆記具。
【請求項５】
前記ペン先向き識別部が、文字または図形よりなるマークと、ペン先方向を表す指示部とからなる請求項１または２記載の筆記具。
【請求項６】
前記ペン先向き識別部が、印刷またはシール貼付よりなる請求項１、２、３、４または５記載の筆記具。
【請求項７】
前記ペン先向き識別部が、凹部または凸部よりなる請求項１、２、３、４または５記載の筆記具。
【請求項８】
前端に軸方向に延びるスリットを有する先細板状のペン先を軸筒の前端に取り付けた後、前記ペン先表面を正面視したときの前記スリットの延長線の上の前記軸筒の外面に、ペン先向き識別部を設けたことを特徴とする筆記具の製造方法。
【請求項９】
前端に軸方向に延びるスリットを有する先細板状のペン先を前軸の前端に取り付け、前記前軸の後部に後軸を取り付けた後、前記ペン先表面を正面視したときの前記スリットの延長線の上の前記後軸の外面に、ペン先向き識別部を設けたことを特徴とする筆記具の製造方法。
【発明の詳細な説明】
【技術分野】
【０００１】
本発明は、筆記具及びその製造方法に関する。詳細には、前端に軸方向のスリットを有する先細板状のペン先を備えた筆記具及びその製造方法に関する。
【背景技術】
【０００２】
従来、前端にスリットを有する先細板状ペン先を備えた筆記具（いわゆる万年筆）が広く知られている。（例えば、特許文献１）
【０００３】
ところが、最近では、この種の筆記具について使用経験のない者が多く、例えば、ペン先表面を紙面に向け、ペン先裏面（ペン先支持部側）を上面にして使用する者や、あるいは、ペン先前端の側面を紙面に当てて適正なインキ出が得られない者などが多く見受けられる。即ち、この種の筆記具を初めて手にしたときに、適正な筆記使用のできる者が少なくなってきている。
【０００４】
【特許文献１】実公平３−５７５１１号公報
【発明の開示】
【発明が解決しようとする課題】
【０００５】
本発明は、前記従来の問題点を解決するものであって、前端にスリットを有する先細板状のペン先を備えた筆記具において、この種の筆記具の使用経験がない者でも、容易に適正なペン先の向きを識別でき、適正な筆記が可能となる筆記具及びその製造方法を提供しようとするものである。尚、本発明において、「前」とはペン先側を指し、一方、「後」とは反対側を指す。また、本発明で、ペン先の表面とは、ペン先の、外部に大きく露出された側の面を指し、ペン先の裏面とは、ペン先の、ペン先支持部によって被覆された側の面を指す。
【課題を解決するための手段】
【０００６】
本発明は、以下を要件とする。
【０００７】
（請求項１）
軸筒の前端に先細板状のペン先を設け、前記ペン先の前端に軸方向に延びるスリットを備えた筆記具であって、軸筒の外面にペン先向き識別部を設け、前記ペン先向き識別部がペン先表面を正面視したときのスリットの延長線の上に位置してなることを特徴とする筆記具。
【０００８】
（請求項２）
軸筒のペン先側にキャップを装着した状態において、前記キャップの後端よりも後方の軸筒外面に、前記ペン先向き識別部が位置してなる請求項１記載の筆記具。
【０００９】
（請求項３）
前記ペン先向き識別部が、ペン先方向を表す指示部からなる請求項１または２記載の筆記具。
【００１０】
（請求項４）
前記ペン先向き識別部が、文字または図形よりなるマークからなる請求項１または２記載の筆記具。
【００１１】
（請求項５）
前記ペン先向き識別部が、文字または図形よりなるマークと、ペン先方向を表す指示部とからなる請求項１または２記載の筆記具。
【００１２】
（請求項６）
前記ペン先向き識別部が、印刷またはシール貼付よりなる請求項１、２、３、４または５記載の筆記具。
【００１３】
（請求項７）
前記ペン先向き識別部が、凹部または凸部よりなる請求項１、２、３、４または５記載の筆記具。
【００１４】
（請求項８）
前端に軸方向に延びるスリットを有する先細板状のペン先を軸筒の前端に取り付けた後、前記ペン先表面を正面視したときの前記スリットの延長線の上の前記軸筒の外面に、ペン先向き識別部を設けたことを特徴とする筆記具の製造方法。
【００１５】
（請求項９）
前端に軸方向に延びるスリットを有する先細板状のペン先を前軸の前端に取り付け、前記前軸の後部に後軸を取り付けた後、前記ペン先表面を正面視したときの前記スリットの延長線の上の前記後軸の外面に、ペン先向き識別部を設けたことを特徴とする筆記具の製造方法。
【発明の効果】
【００１６】
請求項１の筆記具により、前端にスリットを有する先細板状のペン先を備えた筆記具において、この種の筆記具を使用した経験がない者であっても、筆記時にペン先向き識別部によって、容易に適正なペン先向きを識別でき、適正な筆記が可能になる。
【００１７】
請求項２の筆記具により、キャップをペン先側に装着した状態で適正なペン先の向きを識別でき、キャップを外した後、即座に適正な筆記が開始できる。
【００１８】
請求項３の筆記具により、適正なペン先の向きを、より一層容易に識別できる。
【００１９】
請求項４の筆記具により、誤ったペン先向きでの筆記を、より一層抑えることができる。
【００２０】
請求項５の筆記具により、ペン先の向きの識別が、より一層容易になり、しかも、誤ったペン先向きでの筆記を、より一層抑えることができる。
【００２１】
請求項６の筆記具により、ペン先の向きを視覚的に識別できる。
【００２２】
請求項７の筆記具により、ペン先の向きを視覚的且つ触覚的に識別できる。
【００２３】
請求項８の筆記具の製造方法により、前端にスリットを有する先細板状のペン先を備えた筆記具において、この種の筆記具を使用した経験がない者であっても、筆記時にペン先向き識別部によって、容易に適正なペン先向きを識別でき、適正な筆記が可能になる筆記具を得る。また、ペン先のスリットの延長線とペン先向き識別部の位置との周方向のズレが生じるおそれがない。
【００２４】
請求項９の筆記具の製造方法により、前端にスリットを有する先細板状のペン先を備えた筆記具において、この種の筆記具を使用した経験がない者であっても、筆記時にペン先向き識別部によって、容易に適正なペン先向きを識別でき、適正な筆記が可能になる筆記具を得る。また、ペン先のスリットの延長線とペン先向き識別部の位置との周方向のズレが生じるおそれがない。
【発明を実施するための最良の形態】
【００２５】
本発明を実施するための最良の形態を説明する。
【００２６】
〔１〕本実施の形態の筆記具１は、軸筒３の前端に先細板状のペン先２を設け、前記ペン先２の前端に軸方向に延びるスリット２１を備えた筆記具であって、軸筒３の外面にペン先向き識別部６を設け、前記ペン先向き識別部６が、ペン先２表面を正面視したときのスリット２１の延長線Ｐ（即ちペン先２のスリット２１の上から軸方向後方に延長した線）の上に位置してなること（請求項１）を要件とする。
【００２７】
前記筆記具１（請求項１）は、前端にスリット２１を有する先細板状のペン先２を備えた筆記具において、この種の筆記具を使用した経験がない者であっても、筆記時にペン先向き識別部６によって、容易に適正なペン先の向きを識別でき、適正な筆記が可能になる。
【００２８】
〔２〕前記筆記具１（請求項１）において、ペン先向き識別部６は、軸筒３外面のいずれの位置に設けてもよいが、軸筒３のペン先２側にキャップ７を装着した状態において、前記キャップ７の後端よりも後方の軸筒３外面に、前記ペン先向き識別部６が位置してなること（請求項２)が好ましい。それにより、キャップ７をペン先２側に装着した筆記開始前の状態（即ちキャップ７を外す以前）から適正なペン先２の向きを識別でき、キャップ７を外した後、即座に適正な筆記が開始できる。
【００２９】
〔３〕前記筆記具１（請求項１または２）において、前記ペン先向き識別部６が、ペン先方向を表す指示部６１からなること（請求項３）が好ましい。それにより、適正なペン先２の向きを、より一層容易に識別できる。
【００３０】
前記指示部６１は、ペン先２表面を正面視したときのスリット２１の延長線Ｐの上に位置される。また、前記指示部６１の形状は、ペン先方向を指し示すものであれば、いずれであってもよいが、前端が先細形状（例えば、矢印、三角形、ひし形、へ字状、逆Ｖ字状、逆Ｕ字状等）を有することが好ましい。
【００３１】
〔４〕前記筆記具１（請求項１または２）において、前記ペン先向き識別部６が、文字または図形よりなるマーク６２からなること（請求項４）が好ましい。それにより、筆記時に前記マーク６２を視覚すれば、自ずとペン先２の表面が筆記者に向くと同時にペン先２の裏面が紙面に向き、適正な筆記が可能となり、誤ったペン先２の向きでの筆記を、より一層抑えることができる。前記マーク６２は、例えば、商品名や企業名等を表す文字または図形からなる。
【００３２】
〔５〕前記筆記具１（請求項１または２）において、前記ペン先向き識別部６が、文字または図形よりなるマーク６２と、ペン先方向を表す指示部６１とからなること（請求項５）が好ましい。それにより、適正なペン先２の向きの識別が、より一層容易になり、しかも、誤ったペン先２の向きでの筆記を、より一層抑えることができる。また、前記マーク６２がある程度の周方向の幅を有する場合であっても、前記指示部６１により、ペン先２の向きをより一層正確に識別できる。
【００３３】
また、前記マーク６２がある程度の周方向の幅を有する場合、前記指示部６１は、ペン先上向きで正面視した際のマーク６２を左右に２等分する中心線上に設けることが好ましい。それにより、適正なペン先２の向きの識別が、より一層容易になる。また、前記指示部６１は、前記マーク６２のペン先２側に配置されることが、より一層、適正なペン先２の向きの識別が容易となる点で好ましい。
【００３４】
〔６〕前記筆記具１（請求項１、２、３、４または５）において、前記ペン先向き識別部６が、印刷またはシール貼付よりなること（請求項６）が好ましい。それにより、ペン先２の向きを視覚的に識別できる。前記印刷とは、例えば、スクリーン印刷、パッド印刷、オフセット印刷または転写印刷等が挙げられる。
【００３５】
〔７〕前記筆記具１（請求項１、２、３、４または５）において、前記ペン先向き識別部６が、凹部または凸部よりなること（請求項７）が好ましい。それにより、ペン先２の向きを視覚的且つ触覚的に識別できる。
【００３６】
〔８〕また、本実施の形態の筆記具の製造方法は、前端に軸方向に延びるスリット２１を有する先細板状のペン先２を軸筒３の前端に取り付けた後、前記ペン先２表面を正面視したときの前記スリット２１の延長線Ｐの上の前記軸筒３の外面に、ペン先向き識別部６を設けたこと（請求項８）を要件とする。
【００３７】
前記筆記具の製造方法（請求項８）は、前端にスリット２１を有する先細板状のペン先２を備えた筆記具において、この種の筆記具を使用した経験がない者であっても、筆記時にペン先向き識別部６によって、容易に適正なペン先２の向きを識別でき、適正な筆記が可能になる筆記具１を得る。
【００３８】
さらに、前記筆記具の製造方法（請求項８）は、ペン先２を軸筒３に取り付けた後に、軸筒３の外面にペン先向き識別部６を設けるため、製造工程において、ペン先２の向きに合わせてペン先向き識別部６を適正な位置に容易に設けることができ、ペン先２のスリット２１の延長線Ｐとペン先向き識別部６の位置との周方向のズレが生じるおそれがない。よって、ペン先向き識別部６を、確実に適正な位置に設けることができる。もし、ペン先２を軸筒３に取り付ける前に、軸筒３の外面にペン先向き識別部６を設ける場合、ペン先２の向きをペン先向き識別部６に合わせて、ペン先２を取り付けることが製造上困難となるおそれがある。
【００３９】
尚、前記筆記具の製造方法(請求項８)において、前記ペン先向き識別部６は、印刷（例えば、スクリーン印刷、パッド印刷、オフセット印刷または転写印刷等）またはシール貼付よりなることが、ペン先２を軸筒３に取り付けた後の軸筒３外面に容易に設けることが可能である点で好ましい。
【００４０】
〔９〕また、本実施の形態の筆記具の製造方法は、前端に軸方向に延びるスリット２１を有する先細板状のペン先２を前軸４の前端に取り付け、前記前軸４の後部に後軸５を取り付けた後、前記ペン先２表面を正面視したときの前記スリット２１の延長線Ｐの上の前記後軸５の外面に、ペン先向き識別部６を設けたこと（請求項９）を要件とする。
【００４１】
前記筆記具の製造方法（請求項９）は、前端にスリット２１を有する先細板状のペン先２を備えた筆記具において、この種の筆記具を使用した経験がない者であっても、筆記時にペン先向き識別部６によって、容易に適正なペン先２の向きを識別でき、適正な筆記が可能になる筆記具１を得る。
【００４２】
さらに、前記筆記具の製造方法（請求項９）は、ペン先２を備えた前軸４に後軸５を取り付け後に、後軸５の外面にペン先向き識別部６を設けるため、ペン先２の向きに合わせてペン先向き識別部６を適正な位置に容易に設けることができ、ペン先２のスリット２１の延長線Ｐとペン先向き識別部６の位置との周方向のズレが生じるおそれがない。よって、ペン先向き識別部６を、確実に適正な位置に設けることができる。もし、後軸５を前軸４に取り付ける前に、後軸５の外面にペン先向き識別部６を設ける場合、ペン先２の向きをペン先向き識別部６に合わせて、後軸５を前軸４に取り付けることが製造上困難となるおそれがある。
【００４３】
尚、前記筆記具の製造方法(請求項９)において、前記ペン先向き識別部６は、印刷（例えば、スクリーン印刷、パッド印刷、オフセット印刷または転写印刷等）またはシール貼付よりなることが、ペン先２を備えた前軸４に後軸５を取り付け後に後軸５の外面に容易に設けることが可能である点で好ましい。
【実施例】
【００４４】
（第1実施例）
図1乃至図２に、本発明の実施例の筆記具１の第1実施例を示す。
本実施例の筆記具１は、ペン先２を前端に備えた軸筒３と、該軸筒３のペン先２側に着脱自在に装着されるキャップ７とからなる。
【００４５】
前記軸筒３は前軸４と後軸５とからなる。前記前軸４の前端には、金属板製の先細形状（即ちくちばし形状）のペン先２が取り付けられる。前記ペン先２は、具体的には、ステンレス鋼製板のプレス加工体よりなる。前記ペン先２の表面は外部に大きく露出され、一方、前記ペン先２の裏面はその大部分がペン先支持部により被覆される。前記ペン先２の前端の中心には、インキ誘導用の軸方向に延びるスリット２１が設けられる。前記スリット２１は、軸方向前方に開口し且つ径方向に貫設される。
【００４６】
前記後軸５の前端部は、前記前軸４の後端部に螺着される。前記前軸４の後端部にはインキカートリッジ４１が取り付けられる。前記後軸５の前端部を前軸４の後端部に螺着したとき、前記インキカートリッジ４１は後軸５内に収容される。尚、前軸４及び後軸５は合成樹脂（例えばポリプロピレン、ポリカーボネイト等）よりなる。
【００４７】
前記後軸５の外面には、ペン先向き識別部６が設けられる。前記ペン先向き識別部６は、ペン先２表面を正面視したとき、ペン先２のスリット２１の延長線Ｐ（即ちペン先２のスリット２１上から軸方向後方に延長した線）の上に位置している。前記ペン先向き識別部６は、指示部６１とマーク６２とからなる。
【００４８】
前記指示部６１は、ペン先上向きで正面視したとき逆Ｖ字状（へ字状）に視認される線により構成される。前記指示部６１の前端（即ち指示部６１の頂点）は、ペン先２表面を正面視したとき、ペン先２のスリット２１の延長線Ｐの上に位置している。前記指示部６１は、ペン先方向（即ち前方）を指し示している。
【００４９】
前記マーク６２は、商品名を表示する文字からなる第1のマーク６２ａと、その後方に位置する、企業名を表示する文字からなる第２のマーク６２ｂとからなる。前記指示部６１及び前記マーク６２は、パッド印刷により得られる。
【００５０】
また、前記指示部６１は、前記マーク６２のペン先２側（即ちマーク６２の前方）に配置される。前記マーク６２は、ある程度の周方向の幅を有し、前記指示部６１の前端は、ペン先上向きで正面視した際の前記マーク６２（第１のマーク６２ａ及び第２のマーク６２ｂ）を左右に２等分する中心線上に設けられる。即ち、前記マーク６２の中心線は、前記ペン先２のスリット２１の延長線Ｐと一致される。
【００５１】
キャップ７は、軸筒３のペン先２側（即ち前軸４のペン先２側）に装着される。キャップ７を軸筒３のペン先２側に装着した状態において、前記ペン先向き識別部６は、キャップ７の後端よりも後方に位置され、外部に露出されている。
【００５２】
・製造方法
図３に、本発明の筆記具の製造方法の例を示す。これは、図1及び図２に示す第1実施例の筆記具１を得るための製造工程を示すものである。図３（ａ）がペン先２を取り付けた前軸４と後軸５とを螺着する前の状態を示す。図３（ｂ）が、前記図３（ａ）の状態から前軸４と後軸５を螺着した後の状態を示す。図３（ｃ）が、前記図３（ｂ）の状態の後軸５の外面にペン先向き識別部６を設けた状態を示す。
【００５３】
本実施例では、ペン先２を前軸４の前端に取り付けた後、前記前軸４と後軸５とを螺着し〔図３（ａ）、図３（ｂ）参照〕、その後、前記後軸５の外面にペン先向き識別部６を設ける〔図３（ｃ）参照〕。前記ペン先向き識別部６は、ペン先２表面を正面視したときのペン先２のスリット２１の延長線Ｐの上に位置している。本実施例では、前記ペン先向き識別部６は、パッド印刷により得られる。
【００５４】
即ち、本実施例の製造方法は、ペン先２を備えた前軸４に後軸５を螺着した後に軸筒３の外面にペン先向き識別部６を設けるため（あるいはペン先２を軸筒３に取り付けた後に軸筒３の外面にペン先向き識別部６を設けるため）、ペン先２の向きに合わせてペン先向き識別部６を適正な位置に容易に設けることができ、ペン先２のスリット２１の延長線Ｐとペン先向き識別部６の位置との周方向のズレが生じるおそれがない。
【００５５】
特に、本実施例では、後軸５を前軸４に螺着によって取り付ける構成のため、もし、後軸５を前軸４に螺着する以前に予め後軸５の外面にペン先向き識別部６を設ける場合では、ペン先２のスリット２１の延長線Ｐとペン先向き識別部６との周方向のズレが発生しやすい。しかし、本実施例では、後軸５を前軸４に螺着により取り付け、その後、後軸５の外面にペン先向き識別部６を設けるため、ペン先２のスリット２１の延長線Ｐとペン先向き識別部６との周方向のズレの発生が、効果的に回避される。
【００５６】
（第２実施例）
図４に第２実施例を示す。
本実施例は第1実施例の変形例であり、第1実施例と異なる点は、ペン先向き識別部６が、軸方向に延びる凸部からなる点である。前記凸部は、ペン先形状を模した形状であり、ペン先２側（即ち前端部）が尖った先細形状を有する。前記凸部の前端（頂点）は、ペン先２表面を正面視したときのペン先２のスリット２１の延長線Ｐの上に位置されている。即ち、前記凸部は、ペン先方向を指し示す指示部６１を構成する。また、前記凸部は、後軸５外面と一体に形成されること（即ち合成樹脂の一体成形により得ること）が好ましいが、別部材の取り付けにより構成することもできる。尚、他の構成は、第１実施例と同様であるため、説明を省略する。
【図面の簡単な説明】
【００５７】
【図１】本発明の第1実施例のペン先表面を正面視した状態を示す図である。
【図２】図１の要部拡大図である。
【図３】図１の筆記具の製造方法を示す図である。
【図４】本発明の第２実施例のペン先表面を正面視した状態を示す図である。
【符号の説明】
【００５８】
１  筆記具
２  ペン先
２１  スリット
３  軸筒
４  前軸
４１  インキカートリッジ
５  後軸
６  ペン先向き識別部
６１  指示部
６２  マーク
６２ａ  第１のマーク
６２ｂ  第２のマーク
７  キャップ
Ｐ  スリットの延長線
【図１】
2006231762.tif 000003
【図２】
2006231762.tif 000004
【図３】
2006231762.tif 000005
【図４】
2006231762.tif 000006